(57)【特許請求の範囲】
【請求項１】
発光体に供給される駆動電流を生成するスイッチング電源回路であって、
電源に接続される位相制御式調光器と、
前記位相制御式調光器を安定動作させるための保持電流を流す第１端子、前記位相制御式調光器から出力される電圧が印加される第２端子、及び、基準電圧を供給する第３端子を含み、前記第２端子に前記電圧が印加されることで前記第１端子が前記保持電流を流すように構成された駆動電流制御部と、
前記電源の投入時における突入電流が流れる容量素子と、
前記容量素子に流れる前記突入電流を検出する突入電流検出回路であって、前記突入電流の検出の有無によって高電圧又は低電圧を選択的に出力する比較回路、及び、前記比較回路の２つの入力端子の間に配置された第１抵抗素子を含む突入電流検出回路と、
前記突入電流検出回路によって前記突入電流が検出されていない間は、前記第１端子が前記保持電流を流すことを許可し、前記突入電流検出回路によって前記突入電流が検出されている間は、前記第１端子が流す前記保持電流の値を、前記突入電流検出回路によって前記突入電流が検出されていない間に前記第２端子に前記電圧が印加されることで前記第１端子が流す前記保持電流の値よりも小さくする保持電流抑制回路と
を備え、
前記保持電流抑制回路は、
前記突入電流検出回路による前記突入電流の検出の有無によってオン／オフが切り替えられるスイッチング部を含み、
前記突入電流検出回路によって前記突入電流が検出されていない間は、前記スイッチング部がオン及びオフの一方になることにより、前記第１端子が前記保持電流を流すことを許可し、前記突入電流検出回路によって前記突入電流が検出されている間は、前記スイッチング部がオン及びオフの他方になることにより、前記第１端子が前記保持電流を流すことを禁止し、
前記突入電流検出回路は、
前記第３端子から供給される基準電圧に基づく電圧が前記比較回路の２つの入力端子の一方に供給され、
前記容量素子への前記突入電流の有無に応じて前記第１抵抗素子に電圧降下を生じさせるか否かにより前記比較回路からの出力を切り替え、前記比較回路からの出力に基づき前記スイッチング部のオン／オフを切り替えることを特徴とするスイッチング電源回路。
【請求項２】
前記突入電流検出回路は、
前記第３端子と直列に接続された第２抵抗素子及び第３抵抗素子をさらに含み、
前記第２抵抗素子と第３抵抗素子との分電圧を前記比較回路の２つの入力端子の一方に供給することで、前記容量素子に前記突入電流が流れていない間は、前記第１端子が前記保持電流を流すことを許可するように前記比較回路の出力を制御することを特徴とする請求項１に記載のスイッチング電源回路。
【発明の詳細な説明】
【技術分野】
【０００１】
本発明は、スイッチング電源回路に関し、特に発光ダイオード（ＬＥＤ）等の発光体を駆動するために用いられるスイッチング電源回路に関する。
【背景技術】
【０００２】
特許文献１（本願発明者による先願）の図１（本願の図５参照）には、トライアック調光器１１とドライバＩＣ１２とを含むスイッチング電源回路１が示されている。ドライバＩＣ１２の６番端子は、ダイオードブリッジＤＢ１の高圧側出力端子（＋）に接続されている。ドライバＩＣ１２の１１番端子は、６番端子に印加された電圧波形に応じた大きさの駆動電流を設定する。特許文献１では、電源３がオンしてからトライアック調光器１１が安定動作するまでの期間は６番端子へ電圧が印加されないように６番端子への電圧印加を遅らせる遅延回路１６を設けており、これにより電源オン時における発光体のちらつき発生を防止することを実現している。
【先行技術文献】
【特許文献】
【０００３】
【特許文献１】特願２０１４−２６３８７６
【発明の概要】
【発明が解決しようとする課題】
【０００４】
特許文献１のスイッチング電源回路１において、ドライバＩＣ１２の３番端子は、トライアック調光器１１を安定動作させるための保持電流を流す機能を有し、６番端子に電圧が印加されることで保持電流を流すように構成されている。ここで、電源３の投入時における突入電流が流れている間は、トライアック調光器１１の保持電流が十分に流れている。にもかかわらず、ドライバＩＣ１２の６番端子に電圧が印加されることで３番端子から保持電流が流れると、突入電流と保持電流との重複により、消費電力が大きくなる。ひいては、回路構成部品が発熱により故障したり、故障を回避するために耐熱性の高い高価な部品を採用する必要が生じたりするという問題が生じ得る。
【０００５】
本発明の目的は、消費電力を抑制可能なスイッチング電源回路を提供することである。
【課題を解決するための手段】
【０００６】
本発明に係るスイッチング電源回路は、発光体に供給される駆動電流を生成するスイッチング電源回路であって、電源に接続される位相制御式調光器と、前記位相制御式調光器を安定動作させるための保持電流を流す第１端子、前記位相制御式調光器から出力される電圧が印加される第２端子、及び、基準電圧を供給する第３端子を含み、前記第２端子に前記電圧が印加されることで前記第１端子が前記保持電流を流すように構成された駆動電流制御部と、前記電源の投入時における突入電流が流れる容量素子と、前記容量素子に流れる前記突入電流を検出する突入電流検出回路であって、前記突入電流の検出の有無によって高電圧又は低電圧を選択的に出力する比較回路、及び、前記比較回路の２つの入力端子の間に配置された第１抵抗素子を含む突入電流検出回路と、前記突入電流検出回路によって前記突入電流が検出されていない間は、前記第１端子が前記保持電流を流すことを許可し、前記突入電流検出回路によって前記突入電流が検出されている間は、前記第１端子が流す前記保持電流の値を、前記突入電流検出回路によって前記突入電流が検出されていない間に前記第２端子に前記電圧が印加されることで前記第１端子が流す前記保持電流の値よりも小さくする保持電流抑制回路とを備え、前記保持電流抑制回路は、前記突入電流検出回路による前記突入電流の検出の有無によってオン／オフが切り替えられるスイッチング部を含み、前記突入電流検出回路によって前記突入電流が検出されていない間は、前記スイッチング部がオン及びオフの一方になることにより、前記第１端子が前記保持電流を流すことを許可し、前記突入電流検出回路によって前記突入電流が検出されている間は、前記スイッチング部がオン及びオフの他方になることにより、前記第１端子が前記保持電流を流すことを禁止し、前記突入電流検出回路は、前記第３端子から供給される基準電圧に基づく電圧が前記比較回路の２つの入力端子の一方に供給され、前記容量素子への前記突入電流の有無に応じて前記第１抵抗素子に電圧降下を生じさせるか否かにより前記比較回路からの出力を切り替え、前記比較回路からの出力に基づき前記スイッチング部のオン／オフを切り替えることを特徴とする。
【０００７】
本発明によれば、突入電流が流れている間は保持電流を抑制することで、消費電力を抑制することができる。ひいては、回路構成部品の発熱が抑制されるため、部品の故障が生じ難く、耐熱性の低い安価な部品を採用することができる。
【０００８】
本発明において、前記保持電流抑制回路は、前記突入電流検出回路によって前記突入電流が検出されている間は、前記第１端子が前記保持電流を流すことを禁止する。この場合、突入電流と保持電流との重複が回避され、消費電力をより確実に抑制することができる。ひいては、回路構成部品の発熱がより確実に抑制されるため、部品の故障がより生じ難く、耐熱性のより低いより安価な部品を採用することができる。さらに、突入電流が流れているときと流れていないときとで保持電流をオンオフするという簡単な制御であり、回路構成も簡易である。
【０００９】
本発明において、前記保持電流抑制回路は、前記突入電流検出回路による前記突入電流の検出の有無によってオン／オフが切り替えられるスイッチング部を含み、前記突入電流検出回路によって前記突入電流が検出されていない間は、前記スイッチング部がオン及びオフの一方になることにより、前記第１端子が前記保持電流を流すことを許可し、前記突入電流検出回路によって前記突入電流が検出されている間は、前記スイッチング部がオン及びオフの他方になることにより、前記第１端子が前記保持電流を流すことを禁止する。この場合、スイッチング部のオンオフによって、第１端子が保持電流を流すことの許可／禁止を切り替えることができる。
【００１０】
本発明において、前記駆動電流制御部は、基準電圧を供給する第３端子を含み、本発明に係るスイッチング電源回路は、前記突入電流が流れる容量素子を備え、前記突入電流検出回路は、前記容量素子に流れる前記突入電流を検出するものであり、前記突入電流の検出の有無によって高電圧又は低電圧を選択的に出力する比較回路と、前記比較回路の２つの入力端子の間に配置された第１抵抗素子とを含み、前記第３端子から供給される基準電圧に基づく電圧が前記比較回路の２つの入力端子の一方に供給され、前記容量素子への前記突入電流の有無に応じて前記第１抵抗素子に電圧降下を生じさせるか否かにより前記比較回路からの出力を切り替え、前記比較回路からの出力に基づき前記スイッチング部のオン／オフを切り替える。この場合、比較回路からの出力電圧の高低によって、突入電流を検出することができる。
【００１１】
前記突入電流検出回路は、前記第３端子と直列に接続された第２抵抗素子及び第３抵抗素子をさらに含み、前記第２抵抗素子と第３抵抗素子との分電圧を前記比較回路の２つの入力端子の一方に供給することで、前記容量素子に前記突入電流が流れていない間は、前記第１端子が前記保持電流を流すことを許可するように前記比較回路の出力を制御してよい。
【発明の効果】
【００１２】
本発明によれば、突入電流が流れている間は保持電流を抑制することで、消費電力を抑制することができる。ひいては、回路構成部品の発熱が抑制されるため、部品の故障が生じ難く、耐熱性の低い安価な部品を採用することができる。
【図面の簡単な説明】
【００１３】
【図１】本発明の第１実施形態に係るスイッチング電源回路を示す回路図である。
【図２】本発明の第１実施形態に係るスイッチング電源回路から突入電流検出回路及び保持電流抑制回路を省略した回路における、ドライバＩＣの６番端子に印加される電圧と、ドライバＩＣの３番端子が流す保持電流と、突入電流との関係を模式的に示すグラフである。
【図３】本発明の第１実施形態に係るスイッチング電源回路における、ドライバＩＣの６番端子に印加される電圧と、ドライバＩＣの３番端子が流す保持電流と、突入電流との関係を模式的に示すグラフである。
【図４】本発明の第２実施形態に係るスイッチング電源回路を示す回路図である。
【図５】特許文献１の図１に相当する図面である。
【発明を実施するための形態】
【００１４】
先ず、図１を参照し、本発明の第１実施形態に係るスイッチング電源回路１の構成について説明する。
【００１５】
スイッチング電源回路１は、ＬＥＤモジュール２（本発明の「発光体」に相当）を駆動するためにＬＥＤモジュール２に供給される駆動電流を生成するものであって、電源（例えば９０〜２２０Ｖの商用交流電源）３に接続されるトライアック調光器１１（本発明の「位相制御式調光器」に相当）と、トライアック調光器１１の出力電圧を整流するダイオードブリッジＤＢ１と、ドライバＩＣ１２（本発明の「駆動電流制御部」に相当）と、動作安定化回路１３と、電源供給回路１４と、スイッチング回路１５と、突入電流検出回路１６と、保持電流抑制回路１７とを含む。
【００１６】
ＬＥＤモジュール２は、直列又は並列に接続された複数のＬＥＤ素子を有する。
【００１７】
ドライバＩＣ１２は、１４個の端子を有する。
【００１８】
１番端子は電源端子、２番端子はトライアック調光器１１を安定動作させるための電流（保持電流）を流すタイミングを決める端子、３番端子は保持電流を流すストロングブリーダ端子（本発明の「第１端子」に相当）、４番端子は回路に流れる電流を監視し３番端子の動作をオンオフさせる端子、５番端子はドライバＩＣ１２の接地端子、６番端子はダイオードブリッジＤＢ１の高圧側出力端子（＋）を介してトライアック調光器１１から出力される電圧が印加される位相角検出端子（本発明の「第２端子」に相当）、７番端子は調光動作（ＬＥＤの明るさ変化）を滑らかにする端子である。
【００１９】
３番端子は、ＭＯＳＦＥＴを内蔵しており、６番端子に電圧が印加されているときにＭＯＳＦＥＴがＯＮになり、保持電流を流す。６番端子に印加される電圧の大きさは、ダイオードブリッジＤＢ１の高圧側出力端子（＋）と低圧側出力端子（−）との間に直列接続された抵抗Ｒ３と抵抗Ｒ４との分圧比によって定められる。
【００２０】
８番端子は非絶縁／絶縁の回路方式を切り替えるための端子、１１番端子は６番端子に印加された電圧波形に応じてドライバＩＣ１２内部の検出電圧を変化させ、当該検出電圧に応じた大きさの出力電流を設定する端子、１２番端子はスイッチング回路１５に含まれるＦＥＴ（電界効果型トランジスタ）Ｑ３を駆動する端子、１３番端子はチョークコイルの電流を監視する端子、１４番端子は基準電圧（例えば３．３Ｖ）を供給する基準電圧端子（本発明の「第３端子」に相当）である。コンデンサＣ４の一端は、１４番端子に接続されることで、基準電位が印加されている。
【００２１】
動作安定化回路１３は、ＦＥＴＱ１と、２つの抵抗Ｒ１、Ｒ２とを含む。動作安定化回路１３は、ダイオードブリッジＤＢ１の高圧側出力端子（＋）と低圧側出力端子（−）との間に接続されている。ドライバＩＣ１２の３番端子で検知したＦＥＴＱ１及び２つの抵抗Ｒ１、Ｒ２を流れる電流が２０ｍＡ以上であれば、ドライバＩＣ１２の２番端子（ＦＥＴＱ１のゲート端子）はＬＯＷとなり、２０ｍＡ未満であればドライバＩＣ１２の２番端子はＨＩとなる。この動作により、保持電流を流すことが可能となる。なお、２つの抵抗Ｒ１、Ｒ２の値は、トライアック調光器１１が安定動作するような値となっている。
【００２２】
電源供給回路１４は、ＦＥＴＱ２と、２つの抵抗Ｒ５、Ｒ６と、ツェナーダイオードＤ２とを含む。電源３がオンされて電源供給回路１４への入力電圧がツェナーダイオードＤ２の降伏電圧以上になると、ＦＥＴＱ２がオンする。したがって、ＦＥＴＱ２のゲート−ソース間の電圧降下を無視できるものとすると、ＦＥＴＱ２のソース端子にツェナーダイオードＤ２の降伏電圧とほぼ同等の電圧が発生する。このソース端子の電圧はツェナーダイオードＤ２によってクランプされるため、常に一定の安定電圧（例えば１３．５Ｖ）をドライバＩＣ１２の１番端子に印加することができる。なお、ドライバＩＣ１２は、電源３がオフとなってＦＥＴＱ２のソース端子及びドライバＩＣ１２の１番端子の電位が例えば６．５Ｖであるオフスレッシュ電位以下になると、駆動電流の出力を停止する。
【００２３】
スイッチング回路１５は、ＦＥＴＱ３を含む。ＦＥＴＱ３のゲート端子は、ドライバＩＣ１２の１２番端子に接続されている。ＦＥＴＱ３のソース端子は、ドライバＩＣ１２の１１番端子に接続されている。ＦＥＴＱ３のドレイン端子は、ＬＥＤモジュール２に接続されている。ＦＥＴＱ３は、ドライバＩＣ１２の１２番端子から供給された信号に基づいたスイッチング周波数でオンオフを繰り返すことによって、一定の出力電圧及び出力電流を出力する。
【００２４】
突入電流検出回路１６は、電源３の投入時にコンデンサＣ１（本発明の「容量素子」に相当）に流れる突入電流を検出するものであって、コンパレータＩＣ２（本発明の「比較回路」に相当）と、抵抗Ｒ８（本発明の「第１抵抗素子」に相当）と、抵抗Ｒ２１、Ｒ２２（本発明の「第２抵抗素子」「第３抵抗素子」に相当）とを含む。
【００２５】
コンデンサＣ１は、ダイオードブリッジＤＢ１の高圧側出力（＋）と低圧側出力（−）との間（具体的には、ダイオードブリッジＤＢ１のカソードとコンパレータＩＣ２の反転入力端子との間）に接続されている。コンパレータＩＣ２は、反転入力端子（マイナス入力端子）がコンデンサＣ１の低電位側端子（マイナス端子）に接続され、非反転入力端子（プラス端子）が抵抗Ｒ８を介して反転入力端子（マイナス入力端子）に接続されている。また、コンパレータＩＣ２の非反転入力端子（プラス端子）は、直列接続された抵抗Ｒ２１と抵抗Ｒ２２との接続点に接続されている。コンパレータＩＣ２の出力端子は、後述するトランジスタＱ５のベース端子に接続されている。抵抗Ｒ８は、コンパレータＩＣ２の反転入力端子（マイナス入力端子）と非反転入力端子（プラス端子）との間に配置されている。抵抗Ｒ２１、Ｒ２２は、ドライバＩＣ１２の１４番端子と直列に接続されている。
【００２６】
突入電流検出回路１６は、コンデンサＣ１に突入電流が流れていない間は、ドライバＩＣ１２の１４番端子から出力される基準電圧を抵抗Ｒ２１、Ｒ２２によって分圧した電圧がコンパレータＩＣ２の非反転入力端子（プラス端子）に印加されることで、コンパレータＩＣ２が高電圧（Ｈｉｇｈレベル信号）を出力し、コンデンサＣ１に突入電流が流れている間は、抵抗Ｒ８に電圧降下が生じることで、非反転入力端子（プラス端子）の電位に対し反転入力端子（マイナス入力端子）の電位が高くなり、コンパレータＩＣ２が高電圧よりも低い低電圧（Ｌｏｗレベル信号）を出力する。
【００２７】
保持電流抑制回路１７は、トランジスタＱ４、Ｑ５（本発明の「スイッチング部」に相当）と、抵抗Ｒ１７、Ｒ１８、Ｒ１９、Ｒ２０とを含む。トランジスタＱ４、Ｑ５は、ドライバＩＣ１２の３番端子と突入電流検出回路１６との間に配置されている。トランジスタＱ４はｎｐｎ型のバイポーラトランジスタで、トランジスタＱ５はｐｎｐ型のバイポーラトランジスタである。トランジスタＱ４は、エミッタがＦＥＴＱ１のソースに接続され、コレクタがドライバＩＣ１２の３番端子に接続され、ベースが直列接続された抵抗Ｒ１７とＲ１８の接続点に接続されている。トランジスタＱ４のベース−エミッタ間に抵抗Ｒ１７が接続され、トランジスタＱ４のベース−ダイオードブリッジＤＢ１の低圧側出力（−）間に抵抗Ｒ２０が接続されている。トランジスタＱ５は、エミッタがダイオードブリッジＤＢ１の低圧側出力（−）に接地され、コレクタが抵抗Ｒ１８に接続され、ベースが抵抗Ｒ１９と抵抗Ｒ２０の接続点に接続されると共にコンパレータＩＣ２の出力端子に接続されている。
【００２８】
コンデンサＣ１に突入電流が流れていない間は、突入電流検出回路１６のコンパレータＩＣ２が高電圧を出力することで、トランジスタＱ４、Ｑ５が共にオンしている。このとき、ドライバＩＣ１２の３番端子は、ドライバＩＣ１２の６番端子に電圧が印加されることで、保持電流を流すことができる。
【００２９】
コンデンサＣ１に突入電流が流れると、突入電流検出回路１６のコンパレータＩＣ２が低電圧を出力することで、トランジスタＱ５がオフし、さらにトランジスタＱ５がオフすることでトランジスタＱ４もオフする。このとき、ドライバＩＣ１２の３番端子は、ドライバＩＣ１２の６番端子に電圧が印加されても、保持電流を流すことができない。
【００３０】
このように、保持電流抑制回路１７は、突入電流検出回路１６によって突入電流が検出されていない間は、トランジスタＱ４、Ｑ５がオンになることにより、ドライバＩＣ１２の６番端子に電圧が印加されることでドライバＩＣ１２の３番端子が保持電流を流すことを許可し、突入電流検出回路１６によって突入電流が検出されている間は、トランジスタＱ４、Ｑ５がオフになることにより、ドライバＩＣ１２の６番端子に電圧が印加されることでドライバＩＣ１２の３番端子が保持電流を流すことを禁止する。
【００３１】
なお、抵抗Ｒ１７、Ｒ１８、Ｒ１９、Ｒ２０の抵抗値は、上記のようなトランジスタＱ４、Ｑ５のオンオフ動作に必要な最低限の電流値が確保されるように決定される。
【００３２】
次に、図２及び図３を参照し、スイッチング電源回路１におけるドライバＩＣ１２の６番端子に印加される電圧と、ドライバＩＣ１２の３番端子が流す保持電流と、コンデンサＣ１に流れる突入電流との関係について説明する。
【００３３】
ここでは、先ず、図２を参照し、スイッチング電源回路１から突入電流検出回路１６及び保持電流抑制回路１７を省略した回路における上記関係について説明する。当該回路では、コンデンサＣ１に突入電流が流れていない間に、ドライバＩＣ１２の６番端子に電圧が印加されると、ドライバＩＣ１２の３番端子は保持電流を流し、図２の上段に示すように、保持電流と突入電流とが時間的に重複することなく個別に流れる。一方、コンデンサＣ１に突入電流が流れている間に、ドライバＩＣ１２の６番端子に電圧が印加されると、図２の中段及び下段に示すように、ドライバＩＣ１２の３番端子が流す保持電流と、突入電流とが時間的に重複して流れる。この場合、消費電力が大きくなる。
【００３４】
本実施形態のスイッチング電源回路１では、コンデンサＣ１に突入電流が流れていない間に、ドライバＩＣ１２の６番端子に電圧が印加されると、ドライバＩＣ１２の３番端子は保持電流を流し、図３の上段に示すように、図２の上段と同様に、保持電流と突入電流とが時間的に重複することなく個別に流れる。一方、コンデンサＣ１に突入電流が流れている間に、ドライバＩＣ１２の６番端子に電圧が印加されても、図３の中段及び下段に示すように、ドライバＩＣ１２の３番端子が保持電流を流さず、突入電流のみが流れる。この場合、保持電流と突入電流とが時間的に重複して流れないため、消費電力が大きくなることが防止される。
【００３５】
以上に述べたように、本実施形態によれば、保持電流抑制回路１７が、突入電流検出回路１６によって突入電流が検出されていない間は、ドライバＩＣ１２の６番端子に電圧が印加されることでドライバＩＣ１２の３番端子が保持電流を流すことを許可し、突入電流検出回路１６によって突入電流が検出されている間は、ドライバＩＣ１２の６番端子に電圧が印加されることでドライバＩＣ１２の３番端子が流す保持電流の値を、突入電流検出回路１６によって突入電流が検出されていない間にドライバＩＣ１２の６番端子に電圧が印加されることでドライバＩＣ１２の３番端子が流す保持電流の値よりも小さくする（本実施形態ではゼロにする）。このように、本実施形態によれば、突入電流が流れている間は保持電流を抑制することで、消費電力を抑制することができる。ひいては、回路構成部品の発熱が抑制されるため、部品の故障が生じ難く、耐熱性の低い安価な部品を採用することができる。
【００３６】
保持電流抑制回路１７は、突入電流検出回路１６によって突入電流が検出されている間は、ドライバＩＣ１２の６番端子に電圧が印加されることでドライバＩＣ１２の３番端子が保持電流を流すことを禁止する。この場合、突入電流と保持電流との重複が回避され、消費電力をより確実に抑制することができる。ひいては、回路構成部品の発熱がより確実に抑制されるため、部品の故障がより生じ難く、耐熱性のより低いより安価な部品を採用することができる。さらに、突入電流が流れているときと流れていないときとで保持電流をオンオフするという簡単な制御であり、回路構成も簡易である。
【００３７】
保持電流抑制回路１７は、ドライバＩＣ１２の３番端子と突入電流検出回路１６との間に配置されたトランジスタＱ４、Ｑ５を含み、突入電流検出回路１６によって突入電流が検出されていない間は、トランジスタＱ４、Ｑ５がオンになることにより、ドライバＩＣ１２の６番端子に電圧が印加されることでドライバＩＣ１２の３番端子が保持電流を流すことを許可し、突入電流検出回路１６によって突入電流が検出されている間は、トランジスタＱ４、Ｑ５がオフになることにより、ドライバＩＣ１２の６番端子に電圧が印加されることでドライバＩＣ１２の３番端子が保持電流を流すことを禁止する。この場合、トランジスタＱ４、Ｑ５のオンオフによって、ドライバＩＣ１２の３番端子が保持電流を流すことの許可／禁止を切り替えることができる。
【００３８】
突入電流検出回路１６は、コンデンサＣ１に流れる突入電流を検出するものであり、突入電流の検出の有無によって高電圧又は低電圧を選択的に出力するコンパレータＩＣ２と、コンパレータＩＣ２の２つの入力端子の間に配置された抵抗Ｒ８と、ドライバＩＣ１２の１４番端子とダイオードブリッジＤＢ１の低圧側出力（−）との間に直列に接続された抵抗Ｒ２１、Ｒ２２とを含み、ドライバＩＣ１２の１４番端子から供給される基準電圧に基づく電圧がコンパレータＩＣ２の２つの入力端子の一方に供給され、コンデンサＣ１への突入電流の有無に応じて抵抗Ｒ８に電圧降下を生じさせるか否かによりコンパレータＩＣ２からの出力を切り替え、コンパレータＩＣ２からの出力に基づきトランジスタＱ４、Ｑ５のオン／オフを切り替える。コンデンサＣ１に突入電流が流れていない間は、基準電圧を抵抗Ｒ２１、Ｒ２２によって分圧した電圧がコンパレータＩＣ２に印加されることで、コンパレータＩＣ２が高電圧を出力し、コンデンサＣ１に突入電流が流れている間は、抵抗Ｒ８に電圧降下が生じることで、コンパレータＩＣ２が高電圧よりも低い低電圧を出力する。この場合、コンパレータＩＣ２からの出力電圧の高低によって、突入電流を検出することができる。
【００３９】
続いて、図４を参照し、本発明の第２実施形態に係るスイッチング電源回路２０１の構成について説明する。
【００４０】
スイッチング電源回路２０１は、保持電流抑制回路を除き、第１実施形態に係るスイッチング電源回路１と同じ構成を有する。
【００４１】
第２実施形態に係る保持電流抑制回路２１７は、トランジスタＱａ（本発明の「スイッチング部」に相当）と、抵抗Ｒａ、Ｒｂとを含む。トランジスタＱａは、ベースが抵抗Ｒａと抵抗Ｒｂの接続点に接続され、エミッタがＦＥＴＱ１のゲートに接続され、コレクタがダイオードブリッジＤＢ１の低圧側出力（−）に接続されている。抵抗Ｒａと抵抗Ｒｂは、コンパレータＩＣ２の出力端子とダイオードブリッジＤＢ１の低圧側出力端子（−）との間に直列に接続されている。
【００４２】
コンデンサＣ１に突入電流が流れていない間は、突入電流検出回路１６のコンパレータＩＣ２が高電圧を出力することで、トランジスタＱａがオフしている。このとき、ドライバＩＣ１２の３番端子は、ドライバＩＣ１２の６番端子に電圧が印加されることで、保持電流を流すことができる。
【００４３】
コンデンサＣ１に突入電流が流れると、突入電流検出回路１６のコンパレータ１２が低電圧を出力することで、トランジスタＱａがオンし、さらにトランジスタＱａがオンすることでＦＥＴＱ１がオフする。このとき、ドライバＩＣ１２の３番端子は、ドライバＩＣ１２の６番端子に電圧が印加されても、保持電流を流すことができない。
【００４４】
このように、保持電流抑制回路２１７は、突入電流検出回路１６によって突入電流が検出されていない間は、トランジスタＱａがオフになることにより、ドライバＩＣ１２の６番端子に電圧が印加されることでドライバＩＣ１２の３番端子が保持電流を流すことを許可し、突入電流検出回路１６によって突入電流が検出されている間は、トランジスタＱａがオンになることにより、ドライバＩＣ１２の６番端子に電圧が印加されることでドライバＩＣ１２の３番端子が保持電流を流すことを禁止する。
【００４５】
本実施形態のスイッチング電源回路２０１においても、第１実施形態のスイッチング電源回路１と同様、コンデンサＣ１に突入電流が流れていない間に、ドライバＩＣ１２の６番端子に電圧が印加されると、ドライバＩＣ１２の３番端子は保持電流を流し、図３の上段に示すように、図２の上段と同様に、保持電流と突入電流とが時間的に重複することなく個別に流れる。一方、コンデンサＣ１に突入電流が流れている間に、ドライバＩＣ１２の６番端子に電圧が印加されても、図３の中段及び下段に示すように、ドライバＩＣ１２の３番端子が保持電流を流さず、突入電流のみが流れる。この場合、保持電流と突入電流とが時間的に重複して流れないため、消費電力が大きくなることが防止される。
【００４６】
以上に述べたように、本実施形態によれば、第１実施形態と同様の構成により、第１実施形態と同様の効果（即ち、突入電流が流れている間は保持電流を抑制することで、消費電力を抑制することができる。ひいては、回路構成部品の発熱が抑制されるため、部品の故障が生じ難く、耐熱性の低い安価な部品を採用することができるという効果等）を得ることができる。
【００４７】
以上、本発明の好適な実施の形態について説明したが、本発明は上述の実施の形態に限られるものではなく、特許請求の範囲に記載した限りにおいて様々な設計変更が可能である。
【００４８】
・ＬＥＤモジュール以外の発光体を用いてもよい。
・トライアック調光器以外の位相制御式調光器を用いてもよい。
・位相制御式調光器が接続される電源は、交流電源に限定されず、直流電源であってもよい。
・ドライバＩＣ１２以外の駆動電流制御部を用いてもよい。
・スイッチング部として、トランジスタ以外を用いてもよい。
・突入電流検出回路や保持電流抑制回路として、上述の実施形態で例示した構成以外の構成を有する回路を用いてもよい。
・保持電流抑制回路は、突入電流検出回路によって突入電流が検出されている間、上述の実施形態では、第２端子に電圧が印加されることで第１端子が保持電流を流すことを禁止する（保持電流の値をゼロにする）が、これに限定されず、第２端子に電圧が印加されることで第１端子が流す保持電流の値を、突入電流検出回路によって突入電流が検出されていない間に第２端子に電圧が印加されることで第１端子が流す保持電流の値よりも小さいゼロ以外の値としてもよい。
【符号の説明】
【００４９】
１；２０１  スイッチング電源回路
２  ＬＥＤモジュール（発光体）
３  電源
１１  トライアック調光器（位相制御式調光器）
１２  ドライバＩＣ（駆動電流制御部）
１３  動作安定化回路
１４  電源供給回路
１５  スイッチング回路
１６  突入電流検出回路
１７；２１７  保持電流抑制回路
【図１】
0006660804.tif 000002
【図２】
0006660804.tif 000003
【図３】
0006660804.tif 000004
【図４】
0006660804.tif 000005
【図５】
0006660804.tif 000006